(57)【要約】【課題】増減ボタンの押し回数を少なくして小数の入力を容易に行うことが可能な入力装置およびプログラムの提供。【解決手段】入力値として小数を入力するための入力装置１であって、１回押されるごとに小数単位の幅で入力値を増加させるための増加ボタン２Ａと、１回押されるごとに小数単位の幅であって増加ボタンにより増加させる幅よりも小さい幅で入力値を減少させるための減少ボタン２Ｂとからなる一対の増減ボタン２を備える。【選択図】図１
2018073056.tif 000002
【特許請求の範囲】
【請求項１】
入力値として小数を入力するための入力装置であって、
１回押されるごとに小数単位の幅で前記入力値を増加させるための増加ボタンと、
１回押されるごとに小数単位の幅であって前記増加ボタンにより増加させる幅よりも小さい幅で前記入力値を減少させるための減少ボタンと
からなる一対の増減ボタンを備えた入力装置。
【請求項２】
入力値として小数を入力するための入力装置としてコンピュータを機能させるためのプログラムであって、
前記コンピュータに、
１回押されるごとに小数単位の幅で前記入力値を増加させる増加ボタン機能と、
１回押されるごとに小数単位の幅であって前記増加ボタンが１回押されるごとに増加させる幅よりも小さい幅で前記入力値を減少させる減少ボタン機能と
からなる一対の増減ボタン機能
を実現させるためのプログラム。
【請求項３】
入力値として小数を入力するための入力装置としてコンピュータを機能させるためのプログラムであって、
前記コンピュータを、
増加ボタンが押されたことを検知する増加ボタン検知手段と、
前記増加ボタンが１回押されるごとに前記入力値を増加させる小数単位の幅を記憶する増加幅記憶手段と、
前記増加ボタン検知手段により前記増加ボタンが押されたことを検知する度に前記増加幅記憶手段に記憶された幅で前記入力値を増加させる入力値増加手段と、
減少ボタンが押されたことを検知する減少ボタン検知手段と、
前記減少ボタンが１回押されるごとに前記入力値を減少させる小数単位の幅であって前記増加ボタンが１回押されるごとに増加させる幅よりも小さい幅を記憶する減少幅記憶手段と、
前記減少ボタン検知手段により前記減少ボタンが押されたことを検知する度に前記減少幅記憶手段に記憶された幅で前記入力値を減少させる入力値減少手段と
して機能させるためのプログラム。
【請求項４】
前記入力値は、発注する商品の質量、体積または長さである請求項２または３に記載のプログラム。
【請求項５】
前記商品は食材である請求項４記載のプログラム。
【発明の詳細な説明】
【技術分野】
【０００１】
本発明は、小数の入力を行うための入力装置およびプログラムに関し、特に、物理キーボードを備えず、仮想キーボードのみを備えた携帯電話端末やタブレット端末等のタッチパネルを備えた電子機器に適した入力装置およびプログラムに関する。
【背景技術】
【０００２】
従来、物資や資材等の商品をウェブサイト上で受発注するシステムが普及している。この種の受発注システムは、一般的に物理キーボードを備えたパーソナルコンピュータによる利用を想定して構築されている。一方、近年、タッチパネルを備えた携帯電話端末やタブレット端末などの電子機器の普及が進んでいる。これらのタッチパネルを備えた電子機器では、従来の物理的に押して数字や文字等を入力する物理キーボード（ハードウェアキーボード）が廃止され、タッチパネル上に表示されるキーボードをタッチすることで数字や文字等を入力する仮想キーボード（ソフトウェアキーボード）が採用されている。
【０００３】
前述のように、従来の受発注システムでは、一般的に物理キーボードを備えたパーソナルコンピュータによる利用を想定して構築されており、物資や資材等の商品をウェブサイト上で発注する際、発注量の入力は物理キーボードの数字キーから直接数字を入力することにより行われていたが、近年ではタッチパネルを備えた電子機器から発注することも多い。しかしながら、タッチパネルを備えた電子機器に採用されている仮想キーボードでは、タッチパネルの大きさの制約上、数字や文字等を入力する際には、その都度、タッチパネルに表示されるキーボードを数字キーや文字キー等に切り替えてから入力する必要がある（非特許文献１参照。）。
【０００４】
なお、発注数の入力をタッチパネル上に表示した増減ボタンにより入力するシステムとして、例えば特許文献１に記載の画像プリント装置が知られている。この画像プリント装置では、タッチパネル上に表示するサムネイル画像の下部にその画像のプリント枚数を指定するプリント枚数増減ボタンが設けられており、プリント枚数増減ボタンを押下することによって各画像のプリント枚数を指定し、印刷注文を入力することが可能となっている。
【先行技術文献】
【特許文献】
【０００５】
【特許文献１】特開２０１６−１６５５９号公報
【非特許文献】
【０００６】
【非特許文献１】“iPhoneの文字入力/キーボードの追加・切り替え”，［online］ｉＰｏｄ  Ｗａｖｅ，［平成２８年１０月２０日検索］，インターネット＜ＵＲＬ：http://www.ipodwave.com/iphone/howto/keyboard.html＞
【発明の概要】
【発明が解決しようとする課題】
【０００７】
前述の画像プリントのように、１枚単位で発注、すなわち整数で発注される商品については、増減ボタンを押した回数に応じて発注数を１ずつ増減させることで、発注数を容易に指定することが可能である。しかしながら、食肉などを取り扱う食材業界においては、小数単位での発注（例えば、「牛バラ１．７ｋｇ」等）が行われるため、このような１ずつ増減させる増減ボタンによって発注量を指定することは行われていない。また、仮に０．１ずつ増減させる増減ボタンを設置したとすると、例えば０から１．７まで増加させるためには１７回もボタンを押すことになり、操作が大変である。
【０００８】
そこで、本発明においては、増減ボタンの押し回数を少なくして小数の入力を容易に行うことが可能な入力装置およびプログラムを提供することを目的とする。
【課題を解決するための手段】
【０００９】
本発明の入力装置は、入力値として小数を入力するための入力装置であって、１回押されるごとに小数単位の幅で入力値を増加させるための増加ボタンと、１回押されるごとに小数単位の幅であって増加ボタンにより増加させる幅よりも小さい幅で入力値を減少させるための減少ボタンとからなる一対の増減ボタンを備えたものである。本発明の入力装置によれば、一対の増減ボタンのうち、増加ボタンを１回押すごとに小数単位の幅で入力値が増加する一方、減少ボタンを１回押すごとに少数単位の幅であって増加ボタンにより増加させる幅よりも小さい幅で入力値が減少するため、入力したい小数に応じて、これらの一対の増減ボタンを押す回数を組み合わせることで、増減ボタンの押し回数を少なくして小数の入力を容易に行うことが可能となる。
【００１０】
また、本発明のプログラムは、入力値として小数を入力するための入力装置としてコンピュータを機能させるためのプログラムであって、コンピュータに、１回押されるごとに小数単位の幅で入力値を増加させる増加ボタン機能と、１回押されるごとに小数単位の幅であって増加ボタンが１回押されるごとに増加させる幅よりも小さい幅で入力値を減少させる減少ボタン機能とからなる一対の増減ボタン機能を実現させるためのプログラムである。このプログラムを実行したコンピュータによれば、上記本発明の入力装置と同様に、入力したい小数に応じて、これらの一対の増減ボタンを押す回数を組み合わせることで、増減ボタンの押し回数を少なくして小数の入力を容易に行うことが可能となる。
【００１１】
また、本発明のプログラムは、入力値として小数を入力するための入力装置としてコンピュータを機能させるためのプログラムであって、コンピュータを、増加ボタンが押されたことを検知する増加ボタン検知手段と、増加ボタンが１回押されるごとに入力値を増加させる小数単位の幅を記憶する増加幅記憶手段と、増加ボタン検知手段により増加ボタンが押されたことを検知する度に増加幅記憶手段に記憶された幅で入力値を増加させる入力値増加手段と、減少ボタンが押されたことを検知する減少ボタン検知手段と、減少ボタンが１回押されるごとに入力値を減少させる小数単位の幅であって増加ボタンが１回押されるごとに増加させる幅よりも小さい幅を記憶する減少幅記憶手段と、減少ボタン検知手段により減少ボタンが押されたことを検知する度に減少幅記憶手段に記憶された幅で入力値を減少させる入力値減少手段として機能させるためのプログラムである。このプログラムを実行したコンピュータによれば、上記本発明の入力装置と同様に、入力したい小数に応じて、これらの一対の増減ボタンを押す回数を組み合わせることで、増減ボタンの押し回数を少なくして小数の入力を容易に行うことが可能となる。
【発明の効果】
【００１２】
本発明によれば、増減ボタンの押し回数を少なくして小数の入力を容易に行うことが可能となるため、ウェブサイト上で物資や資材等の商品を小数単位で発注することが容易となり、特に物理キーボードを備えず、仮想キーボードのみを備えた携帯電話端末やタブレット端末等のタッチパネルを備えた電子機器において小数を入力することが容易となる。
【図面の簡単な説明】
【００１３】
【図１】本発明の実施の形態における入力装置の概要図である。
【図２】図１の入力装置の機能ブロック図である。
【図３】食材のオーダー画面の例を示す図である。
【図４】食材のオーダー画面の例を示す図である。
【図５】食材のオーダー画面の例を示す図である。
【図６】食材のオーダー画面の例を示す図である。
【発明を実施するための形態】
【００１４】
図１は本発明の実施の形態における入力装置の概要図である。
図１に示すように、本発明の実施の形態における入力装置１は、入力値として小数を入力するためのものであって、増加ボタン２Ａと減少ボタン２Ｂとからなる一対の増減ボタン２を備える。増減ボタン２により入力される入力値は、増加ボタン２Ａと減少ボタン２Ｂとの間に設けられた入力値表示部３に表示される。なお、本発明において「小数」とは、１より小さい小数である純小数と、整数と純小数の和でできている１より大きい帯小数の両方を含むものとする。また、入力値として小数部が０の場合を除外するものではない。
【００１５】
次に、入力装置１の詳細な構成について説明する。図２は図１の入力装置の機能ブロック図である。
図２に示すように、入力装置１は、増加ボタン２Ａが押されたことを検知する増加ボタン検知手段２０Ａと、増加ボタン２Ａが１回押されるごとに入力値を増加させる小数単位の幅を記憶する増加幅記憶手段２１Ａと、増加ボタン検知手段２０Ａにより増加ボタン２Ａが押されたことを検知する度に増加幅記憶手段２１Ａに記憶された幅で入力値を増加させる入力値増加手段２２Ａと、減少ボタン２Ｂが押されたことを検知する減少ボタン検知手段２０Ｂと、減少ボタン２Ｂが１回押されるごとに入力値を減少させる小数単位の幅であって増加ボタン２Ａが１回押されるごとに増加させる幅よりも小さい幅を記憶する減少幅記憶手段２１Ｂと、減少ボタン検知手段２０Ｂにより減少ボタン２Ｂが押されたことを検知する度に減少幅記憶手段２１Ｂに記憶された幅で入力値を減少させる入力値減少手段２２Ｂとを有する。また、入力装置１は、入力値増加手段２２Ａおよび入力値減少手段２２Ｂにより増減させる入力値を設定する入力値設定手段３０と、入力値設定手段３０により設定された入力値を入力値表示部３に表示する入力値表示手段３１とを有する。
【００１６】
次に、上記構成の入力装置１による小数の入力例について説明する。なお、増加幅記憶手段２１Ａには、増加ボタン２Ａが１回押されるごとに入力値を増加させる小数単位の幅として０．５が記憶され、減少幅記憶手段２１Ｂには、減少ボタン２Ｂが１回押されるごとに入力値を減少させる小数単位の幅であって増加ボタン２Ａが１回押されるごとに増加させる幅（０．５）よりも小さい幅として０．１が記憶されているものとする。
【００１７】
この入力装置１では、増加ボタン２Ａが１回押されると、増加ボタン検知手段２０Ａにより検知され、入力値設定手段３０により設定される入力値が、入力値増加手段２２Ａにより増加幅記憶手段２１Ａに記憶された小数単位の幅で増加、すなわち０．５増加され、入力値表示手段３１により入力値表示部３に表示される。一方、減少ボタン２Ｂが１回押されると、減少ボタン検知手段２０Ｂにより検知され、入力値設定手段３０により設定される入力値が、入力値減少手段２２Ｂにより減少幅記憶手段２１Ｂに記憶された小数単位の幅で減少、すなわち０．１減少され、入力値表示手段３１により入力値表示部３に表示される。
【００１８】
例えば、入力値の初期値が０（または０．０）であり、この入力値を１．７とする場合、増加ボタン２Ａを４回押すと、入力値は０＋０．５×４＝２．０となる。そして、減少ボタン２Ｂを３回押すと、入力値は２．０−０．１×３＝０．７となる。すなわち、従来の０．１ずつ増加させる増減ボタンでは１７回ボタンを押す必要があったが、本実施形態における入力装置１では、増加ボタン２Ａを４回と減少ボタン２Ｂを３回との合計７回だけ増減ボタン２を押せば良く、小数の入力が容易となる。
【００１９】
なお、上記構成の入力装置１は、物理キーボードを備えず、仮想キーボードのみを備えた携帯電話端末やタブレット端末等のタッチパネルを備えた電子機器（コンピュータ）上で動作するものとして構成することが可能である。すなわち、このような電子機器（コンピュータ）を、入力値として小数を入力するための入力装置として機能させるためのプログラムとして構成することができる。このプログラムは、このような電子機器（コンピュータ）に、１回押されるごとに小数単位の幅で入力値を増加させる増加ボタン機能と、１回押されるごとに小数単位の幅であって増加ボタンが１回押されるごとに増加させる幅よりも小さい幅で入力値を減少させる減少ボタン機能とからなる一対の増減ボタン機能を実現させるためのプログラム、例えば物資や資材等の商品を販売するウェブサイトの形態で提供することが可能である。
【００２０】
より詳しくは、このプログラムは、このような電子機器（コンピュータ）を、上記増加ボタン検知手段２０Ａ、増加幅記憶手段２１Ａ、入力値増加手段２２Ａ、減少ボタン検知手段２０Ｂ、減少幅記憶手段２１Ｂおよび入力値減少手段２２Ｂとして機能させるためのプログラムとして提供することが可能である。
【００２１】
次に、上記構成の入力装置１を備えた食材販売のウェブサイトの例について説明する。
図３〜図６は食材のオーダー画面の例を示している。食材の購入者が、タッチパネルを備えた電子機器により食品販売のウェブサイトにアクセスし、図３に示す食材のオーダー画面において「＋商品を追加」ボタン４０をタッチすると、図４に示す「商品を追加」ウインドウ５０が表示される。この「商品を追加」ウインドウ５０においてオーダーする商品のチェックボックス５１をタッチして選択し、「選択した商品を追加」ボタン５２をタッチすると、図５に示すようにオーダーする商品が一覧表示される。
【００２２】
図５に示すように、オーダーする商品の一覧には、それぞれの商品に対して一対の増減ボタン２（増加ボタン２Ａおよび減少ボタン２Ｂ）と入力値表示部３とが表示される。そして、この一対の増減ボタン２の増加ボタン２Ａをタッチする（押す）と、タッチした回数に応じて少数単位の幅で入力値が増加し、減少ボタン２Ｂをタッチすると、タッチした回数に応じて増加ボタンが１回押されるごとに増加される幅よりも小さい幅で入力値が減少する。これにより、小数を従来よりも少ないタッチ回数で入力することができ、小数単位での発注を行う食肉などの食材のオーダーが容易となる。なお、本実施形態における入力装置１は、食材以外の商品であっても、商品を質量、体積または長さによりオーダーする商品を取り扱うウェブサイトに好適である。
【産業上の利用可能性】
【００２３】
本発明の入力装置およびプログラムは、小数の入力を行うための入力装置およびプログラムとして有用であり、特に、物理キーボードを備えず、仮想キーボードのみを備えた携帯電話端末やタブレット端末等のタッチパネルを備えた電子機器において小数の入力を行うための入力装置およびプログラムとして好適である。
【符号の説明】
【００２４】
１  入力装置
２  増減ボタン
２Ａ  増加ボタン
２Ｂ  減少ボタン
３  入力値表示部
２０Ａ  増加ボタン検知手段
２０Ｂ  減少ボタン検知手段
２１Ａ  増加幅記憶手段
２１Ｂ  減少幅記憶手段
２２Ａ  入力値増加手段
２２Ｂ  入力値減少手段
３０  入力値設定手段
３１  入力値表示手段
【図１】
2018073056.tif 000003
【図２】
2018073056.tif 000004
【図３】
2018073056.tif 000005
【図４】
2018073056.tif 000006
【図５】
2018073056.tif 000007
【図６】
2018073056.tif 000008